(57)【要約】【課題】  煩雑な操作を行うことなく、容易に割付原稿のページ構成を編集することが可能な画像処理装置を提供する。【解決手段】  原稿を読み取り画像データを生成する画像読取部と、一以上のページが割り付けられた割付原稿を読み取って生成された、第一の割付画像データから、ページ毎に分割したページ画像を生成する画像分割部と、前記ページ画像の選択と新たな割付位置を指示する編集指示フォーマットを含む編集指示原稿を生成する編集指示原稿生成部と、前記編集指示原稿を読み取った画像データから、前記編集指示を認識する編集指示認識部と、前記編集指示に基づき前記ページ画像を編集し、第二の割付画像データを生成する編集原稿生成部とを備えることを特徴とした画像処理装置。【選択図】  図１
2015026952.tif 000002
【特許請求の範囲】
【請求項１】
原稿を読み取り画像データを生成する画像読取部と、
一以上のページが割り付けられた割付原稿を読み取って生成された、第一の割付画像データから、ページ毎に分割したページ画像を生成する画像分割部と、
前記ページ画像の選択と新たな割付位置を指示する編集指示フォーマットを含む編集指示原稿を生成する編集指示原稿生成部と、
前記編集指示原稿を読み取った画像データから、前記編集指示を認識する編集指示認識部と、
前記編集指示に基づき前記ページ画像を編集し、第二の割付画像データを生成する編集原稿生成部とを備えることを特徴とする画像処理装置。
【請求項２】
前記編集指示フォーマットは、前記ページ画像の分割位置の補正を指示するフォーマットを含むことを特徴とする請求項１記載の画像処理装置。
【請求項３】
前記編集指示フォーマットは、編集後の１ページ内に含まれるページ画像数を指示するフォーマットを含むことを特徴とする請求項１又は請求項２記載の画像処理装置。
【請求項４】
前記編集指示原稿を媒体に印刷する画像形成部を備えることを特徴とする請求項１乃至請求項３の何れか１項記載の画像処理装置。
【発明の詳細な説明】
【技術分野】
【０００１】
本発明は、原稿の複数ページが１ページに割り付けられた画像データを処理する画像処理装置に関するものである。
【背景技術】
【０００２】
従来の画像処理装置においては、原稿の複数ページを１ページに割り付けて印刷する割付印刷機能を備えるものがある。一般的な割付印刷では、割り付け対象のページは１ページ内に収まるように元のサイズから縮小される。したがって、原稿画像の大きさが異なる複数ページの割付印刷を行う場合に、大きさが小さい原稿画像は見づらくなってしまうといった問題があった。このような複数ページの割り付け時における問題点に対処する技術として、例えば、特許文献１が公開されている。
【先行技術文献】
【特許文献】
【０００３】
【特許文献１】特開２０１０−１９９６８７号公報
【発明の概要】
【発明が解決しようとする課題】
【０００４】
従来技術においては、既に割付印刷された原稿を入力とした場合に、割付原稿のページ構成を編集するには、一旦、各被割付ページを割り付け状態から分割して生成した一時原稿のページ構成を再構成し、その後に一時原稿を割付印刷するといった手順が必要であった。
【０００５】
本発明はこのような実状に鑑みてなされたものであり、本発明の課題は、煩雑な操作を行うことなく、容易に割付原稿のページ構成を編集することが可能な画像処理装置を提供することである。
【課題を解決するための手段】
【０００６】
上記課題を解決するために、本発明に係る画像処理装置は、原稿を読み取り画像データを生成する画像読取部と、一以上のページが割り付けられた割付原稿を読み取って生成された、第一の割付画像データから、ページ毎に分割したページ画像を生成する画像分割部と、前記ページ画像の選択と新たな割付位置を指示する編集指示フォーマットを含む編集指示原稿を生成する編集指示原稿生成部と、前記編集指示原稿を読み取った画像データから、前記編集指示を認識する編集指示認識部と、前記編集指示に基づき前記ページ画像を編集し、第二の割付画像データを生成する編集原稿生成部とを備えることを特徴としている。
【発明の効果】
【０００７】
本発明によれば、煩雑な操作を行うことなく、容易に割付原稿のページ構成を編集することが可能な画像処理装置を提供することができる。
【図面の簡単な説明】
【０００８】
【図１】複合装置の概観図である。
【図２】複合装置の機能構成を説明するためのブロック図である。
【図３】割付原稿、これに対応する編集指示原稿、ページ分割補正指示フォーマット、及びレイアウト変更指示フォーマットについて説明する概略図である。
【図４】利用者が行う操作手順と利用者の操作に応答した複合装置の動作の流れを説明するフローチャートである。
【図５】図４のステップＳ１０３及びステップＳ１０７における画像処理部の詳細な動作を説明するフローチャートである。
【図６】編集指示と編集原稿の例を説明する概略図である。
【図７】編集指示と編集原稿の例を説明する概略図である。
【図８】編集指示原稿の一例を説明する概略図である。
【図９】編集指示と編集原稿の例を説明する概略図である。
【発明を実施するための形態】
【０００９】
以下、本発明の実施形態について図面を参照して説明する。なお、本発明は以下の記述に限定されるものではく、本発明の要旨を逸脱しない範囲において適宜変更可能である。
【００１０】
図１は、第１の実施形態に係る画像処理装置としての複合装置１００の概観図である。図１において、複合機１００は、原稿上の画像である原稿画像を読み取る画像読取装置としてのスキャナ１と、画像形成装置としてのプリンタ２とを備える。また、複合機１００は、スキャナ１及びプリンタ２を操作するための図示せぬ操作パネルを有しており、複数ページが１ページに割り付けられた原稿を処理することができる装置である。
【００１１】
図２は、複合装置１００の機能構成を説明するためのブロック図である。複合装置１００は、画像処理部１０を有し、当該画像処理部１０は、画像読取部１１と、編集指示原稿判定部１２と、画像分割部１３と、編集指示原稿生成部１４と、編集指示認識部１５と、編集原稿生成部１６とを備える。
【００１２】
画像処理部１０は、複数ページが１ページに割り付けられた原稿（以下、割付原稿と称する）に係る処理を統括的に制御する。このような画像処理部１０としては、図示せぬ回路基板上のＣＰＵ（Central Processing Unit）によって動作するプログラムでも良く、ＡＳＩＣ（Application Specific Integrated Circuit）等のデジタル回路、あるいはこれらの組合せによって構成してもよい。
【００１３】
画像読取部１１は、スキャナ１を駆動することによって原稿画像を読み取り、読み取った画像を画像データとして出力する。
【００１４】
編集指示原稿判定部１２は、画像読取部１１が出力する画像データを入力とし、入力された画像データの内容が編集指示原稿であるか否かを判定する処理を行う。
【００１５】
ここで、編集指示原稿とは、割付原稿のページ構成の編集指示内容が記載された原稿であり、ページ分割補正指示原稿と、レイアウト変更指示原稿とから構成されている。ページ分割補正指示原稿は、後述するページ分割補正指示フォーマットを含み、ページ分割の補正指示を行う原稿である。レイアウト変更指示原稿は、後述するレイアウト変更指示フォーマットを含み、被割付ページ毎の編集指示を行う原稿である。なお、割付原稿がカラー原稿である場合でも、編集指示原稿はモノクロ原稿でよく、印刷時のトナー等の消費を削減可能である。
【００１６】
画像分割部１３は、画像読取部１１において割付原稿を読み取ることで出力された画像データ内から、原稿を被割付ページ毎に分割した画像データをページデータとして出力する。
【００１７】
編集指示原稿生成部１４は、画像分割部１３が出力するページデータを入力とし、当該ページデータと、編集指示フォーマットと、編集指示原稿識別情報とを合成した画像データを、編集指示原稿として生成し、出力する。
【００１８】
編集指示フォーマットは、前述したページ分割補正指示フォーマットとレイアウト変更指示フォーマットとから構成され、ページ分割補正指示フォーマットは、被割付ページの分割結果に対する補正を行うためのフォーマットである。また、レイアウト変更指示フォーマットは、各ページデータに対する、当該ページデータを使用するか否かの選択と、レイアウト指示を行うためのフォーマットである。
【００１９】
そして、編集指示原稿識別情報は、ページ分割補正指示原稿識別情報とレイアウト変更指示原稿識別情報とから構成され、ページ分割補正指示原稿識別情報は、ページ分割補正指示原稿であることを表す一意の識別子と当該ページ分割補正指示原稿の情報としてページ数やページ分割補正指示フォーマットの数や位置等の情報を含む。また、レイアウト変更指示原稿識別情報は、レイアウト変更指示原稿であることを表す一意の識別子と当該レイアウト変更指示原稿の情報としてページ数やレイアウト変更指示フォーマットの数や位置等の情報を含む。
【００２０】
編集指示認識部１５は、画像読取部１１において編集指示原稿を読み取ることで出力された画像データを入力とし、事前に読み取った割付原稿内の各被割付ページに対する編集指示を抽出し、出力する。なお、編集指示は、編集指示原稿に含まれる編集指示フォーマット上に利用者が記載することとする。
【００２１】
編集原稿生成部１６は、編集指示認識部１５が出力する編集指示と、記憶部１７が記憶するページデータと、付随する情報とを入力とし、編集原稿を生成し、出力する。
【００２２】
記憶部１７は、例えば、ＲＡＭ（Random Access Memory）、フラッシュメモリ等の記憶装置により構成され、画像分割部１３が出力するページデータを入力とし、これを記憶する。また、記憶部１７は、入力されたページデータに対して一意に識別可能なページデータ識別子を発行し、これを記憶する。ページデータ識別子は、ページデータ群の中から目的のページデータを特定することを目的とするため、他のページデータと重複することのない情報であり、例えば、ＩＤやファイルパスとして実現することができる。
【００２３】
画像形成部１８は、例えば、電子写真方式の印刷エンジンを備えたプリンタ２であり、編集指示原稿生成部１４が出力する編集指示原稿又は編集原稿生成部１６が出力する編集原稿を入力とし、記録紙への印刷出力を行う。
【００２４】
次に、本実施形態に係る割付原稿、これに対応する編集指示原稿、ページ分割補正指示フォーマット、及びレイアウト変更指示フォーマットについて説明する。図３（ａ）は、割付原稿の一例を説明する概略図である。図３（ｂ）及び図３（ｃ）は、編集指示原稿の一例を説明する概略図である。図３（ｄ）は、ページ分割補正指示フォーマットの一例を説明する概略図である。図３（ｅ）は、レイアウト変更指示フォーマットの一例を説明する概略図である。
【００２５】
図３（ａ）に示すように、本実施形態に係る割付原稿３０は、原稿画像としてそれぞれ、Ａの文字が付された被割付ページ３１、Ｂの文字が付された被割付ページ３２、Ｃの文字が付された被割付ページ３３、及びＤの文字が付された被割付ページ３４の４ページが割り付けられた原稿である。
【００２６】
図３（ｂ）に示すページ分割補正指示原稿４０は、割付原稿３０の１ページ目のためのページ分割補正指示フォーマット４１と、同様に２〜４ページ目のためのページ分割補指示フォーマットを描画する領域であるページ分割補正指示フォーマット描画領域４２，４３，４４と、ページ分割補正指示原稿識別情報４５とを備える。ここでは、割付原稿３０が１ページ構成である場合を例示しているが、これに限らず、複数ページ構成であってもよく、その場合にはページ数に対応してページ分割補正指示フォーマット描画領域４２〜４４に、ページ分割補正指示フォーマットが描画される。
【００２７】
図３（ｃ）に示すレイアウト変更指示原稿５０は、被割付ページ３１，３２，３３，３４をそれぞれ縮小した被割付ページ縮小画像５１，５２，５３，５４と、被割付ページ毎のレイアウト変更指示フォーマット５５，５６，５７，５８と、レイアウト変更指示原稿識別情報５９とを備える。
【００２８】
なお、本実施形態においては、図３（ｂ）に示したページ分割補正指示原稿識別情報４５及び図３（ｃ）に示したレイアウト変更指示原稿識別情報５９は共にバーコードとして例示した。
【００２９】
図３（ｄ）に示すページ分割補正指示フォーマット６０は、分割されたページを表すページ領域６１，６２，６３，６４と、各ページ領域間の境界を表すページ境界６５，６６，６７，６８とを備える。なお、図３（ｄ）は図３（ｂ）のページ分割補正指示フォーマット４１の拡大図であり、図３（ｂ）に示したページ分割補正指示フォーマット４１と本図で示したページ分割補正指示フォーマット６０とは同一のものを指す。
【００３０】
図３（ｅ）に示すレイアウト変更指示フォーマット７０は、ページデータを使用するか否かを表す使用選択領域７１と、編集後の割り付け（Ｎ−ｕｐ）数を表す割付数指示領域７２と、ページデータを編集後の何ページ目に配置するかを表すページ指示領域７３と、ページデータを何番目の割付位置に配置するかを表す割付位置指示領域７４とを含む。なお、図３（ｅ）は図３（ｃ）のレイアウト変更指示フォーマット５５〜５８の拡大図であり、図３（ｃ）に示したレイアウト変更指示フォーマット５５〜５８と本図で示したレイアウト変更指示フォーマット７０とは同一のものを指す。
【００３１】
利用者は、これらのフォーマット内の小領域を塗りつぶすことにより所望の編集指示を行う。ページ分割補正指示フォーマット６０においては、ページ境界６５〜６８が塗りつぶされていた場合に、編集指示認識部１５は当該箇所でのページ分割を行う指示として認識する。なお、レイアウト変更指示フォーマット７０においては、使用選択領域７１とそれ以外の領域とで異なる。利用者は、使用選択領域７１において○×の矩形をそれぞれ小領域として設定する。編集指示認識部１５は、使用選択領域７１においてどちらの矩形が塗りつぶされているかでページデータの使用有無を認識する。利用者は、割付数指示領域７２、ページ指示領域７３、割付位置指示領域７４において数字を形作る矩形群を小領域として設定する。編集指示認識部１５は、保持している数字０〜９に対応する矩形の組み合わせ情報と、塗りつぶされた矩形の組み合わせとを比較することで各指示領域での指示を認識する。
【００３２】
図４は、利用者が行う操作手順と利用者の操作に応答した複合装置の動作の流れを説明するフローチャートである。本図において、点線枠Ａで囲まれた領域は利用者が行う操作手順を表し、点線枠Ｂで囲まれた領域は利用者の操作に応答した複合装置の動作を表す。
【００３３】
ステップＳ１０１において、利用者は、複合装置１００の図示せぬ操作パネルを介し、本実施形態の機能を実現するための選択操作を行う。
【００３４】
次に、利用者は、割付原稿を複合装置１００のスキャナ１にセットし、読み取り動作を実行させる（ステップＳ１０２）。読み取り実行後は、読み取りの終了や次動作の開始を利用者が指示することができる。また、前記指示を不要とすることで使用者の手順を簡易化することも可能である。
【００３５】
ステップＳ１０３において、複合装置１００の画像処理部１０は、スキャナ１を駆動することによって割付原稿を読み取り、割付原稿に対する編集指示原稿を生成する。なお、生成した割付原稿に基づく画像データは記憶部１７に一時記憶され、後述するステップＳ１０７において利用される。
【００３６】
そして、複合装置１００は、ステップＳ１０３で生成した編集指示原稿をプリンタ２を用いて印刷する（ステップＳ１０４）。
【００３７】
次に、利用者は、割付原稿に対して行いたい編集指示を、ステップＳ１０４において印刷された編集指示原稿上に記載する（ステップＳ１０５）。
【００３８】
編集指示の記載を終えた利用者は、編集指示原稿を複合機１００のスキャナ１にセットし、読み取り動作を実行させる（ステップＳ１０６）。
【００３９】
ステップＳ１０７において、複合装置１００の画像処理部１０は、スキャナ１を駆動することによって編集指示原稿を読み取り、画像データに含まれる編集指示を認識する。そして、複合装置１００は、ステップＳ１０３において記憶部１７に一時記憶された画像データから編集原稿を生成する。
【００４０】
最後に複合装置１００は、ステップＳ１０７で生成した編集原稿をプリンタ２を用いて印刷し、一連の処理を終了する（ステップＳ１０８）。
【００４１】
次に、図４のステップＳ１０３及びステップＳ１０７における画像処理部１０の詳細な動作について図５のフローチャートを用いて説明する。
【００４２】
ステップＳ２０１において、画像処理部１０は、画像読取部１１が読み取り出力した、割付原稿又は編集指示原稿に基づく画像データを取得する。
【００４３】
次に、画像処理部１０は、画像読取部１１から出力された画像データを編集指示原稿判定部１２に入力し、当該画像データの内容が編集指示原稿か否かの判定処理を行わせる。ここでの判定処理によって以降の処理が分岐する。編集指示原稿判定部１２は、後述する編集指示原稿を表す識別情報が、画像データ内の所定の位置において検出可能である場合に、入力された画像データが編集指示原稿であると判定する。
【００４４】
編集指示原稿判定部１２により、入力された画像データが編集指示原稿であると判定されなかった場合（ステップＳ２０２  Ｎｏ）、画像処理部１０は画像データを画像分割部１３に入力し、当該画像データに対してページ分割処理を行わせ、画像データが被割付ページ毎に分割された、ページデータを取得させる（ステップＳ２０３）。
【００４５】
ページ分割処理において、まず、画像分割部１３は、画像データ内からページ分割位置を決定する。画像分割部１３は、例えば、被割付ページ外縁部に描画された枠について原稿長辺方向のエッジを検出することによりページ分割位置を決定する、又は被割付ページ間の境界部について原稿短辺方向の濃度値変化の山若しくは谷を検出することで原稿短辺方向のページ分割位置を決定する。なお、ページ分割処理は上記手法に限らず、既知の画像処理アルゴリズムを利用可能である。
【００４６】
ステップＳ２０４において、画像処理部１０はページデータを記憶部１７に入力し、記憶させる。記憶部１７は、ページデータの入力時にページデータを一意に識別可能なページデータ識別部を発行し、当該ページデータとページデータ識別子とを記憶する。
【００４７】
次に、ステップＳ２０５において、画像処理部１０は、ページデータとページデータ識別子とを編集指示原稿生成部１４に入力し、ページデータと、編集指示フォーマットと、編集指示原稿識別情報とが合成された画像データを生成させ、編集指示原稿として取得する。
【００４８】
ところで、編集指示原稿判定部１２により、入力された画像データが編集指示原稿であると判定された場合（ステップＳ２０２  Ｙｅｓ）、画像処理部１０は画像データを編集指示認識部１５に入力し、当該画像データ内から編集指示フォーマットに対して利用者が記載した編集指示内容を抽出及び認識し、編集指示を取得する（ステップＳ２０６）。
【００４９】
編集指示内容の抽出において、まず、編集指示認識部１５は、編集指示原稿識別情報を利用することでページ分割補正指示フォーマット（又はレイアウト変更指示フォーマット）の領域を特定する。そして、編集指示認識部１５は、画像データ内から特定した領域を抽出し、編集指示内容が未記載の状態のフォーマットとの差分を、フォーマット内の指示項目毎に取得する。次に、編集指示認識部１５は、指示項目毎に予め設定する小領域に分割し、小領域が塗りつぶされているか否かを判定する。この小領域の塗りつぶしの判定は、例えば、画像データを二値化し、小領域内の黒画素数の割合が閾値以上である場合を塗りつぶされていると判定する。
【００５０】
次に、ステップＳ２０７において、画像処理部１０は、編集指示認識部１５から取得した編集指示において、使用指示されたページデータのページデータ識別子を記憶部１７に入力し、ページデータ識別子に対応したページデータを取得する。
【００５１】
そして、画像処理部１０は、編集指示認識部１５から取得した編集指示と、記憶部１７から取得したページデータを編集原稿生成部１６に入力する。編集原稿生成部１６は、編集指示にしたがってページデータを再配置することで編集原稿を生成する（ステップＳ２０８）。
【００５２】
ステップＳ２０９において、画像処理部１０は、編集指示原稿生成部１４が出力する編集指示原稿又は編集原稿生成部１６が出力する編集原稿を画像形成部１８に入力し、記録紙への印刷出力を行わせる。
【００５３】
次に、本実施形態に係る編集指示と編集原稿の例について図６及び図７を用いて説明する。図６（ａ）に示す割付原稿３００を図５のステップＳ２０１にて読み取った場合に、同図のステップＳ２０５にて編集指示原稿３２０が取得される。その後、編集指示原稿３２０に対して、図７（ｄ）、図７（ｅ）に示す編集指示３８１，３８２、３９１，３９２，３９３，３９４，３９５，３９６，３９７，３９８を利用者が記載した場合に、図５のステップＳ２０８に係る処理により、図７（ｃ）に示す編集原稿３６０が得られる。ここで、図７（ｄ）の編集指示３８１，３８２は、図６（ｂ）のページ分割補正指示フォーマット３３１，３３２に対して利用者が記載した例であり、図７（ｅ）の編集指示３９１〜３９８は、図６（ｂ）のレイアウト変更フォーマット３４５，３４６，３４７，３４８、３５５，３５６，３５７，３５８に対して利用者が記載した例である。
【００５４】
図６（ａ）に示す割付原稿３００は２ページ構成であり、１ページ目３０１に被割付ページ３１１，３１２，３１３，３１４を、２ページ目に被割付ページ３１５，３１６，３１７，３１８が割り付けられた原稿である。
【００５５】
そして、図６（ｂ）に示す編集指示原稿３２０は、ページ分割補正指示原稿３２１と、レイアウト変更指示原稿３２２，３２３とで構成される。ページ分割補正指示原稿３２１は、割付原稿３００の１ページ目及び２ページ目に対応するページ分割補正指示フォーマット３３１，３３２と、ページ分割補正指示原稿識別情報３３３とを含む。レイアウト変更指示原稿３２２，３２３は、それぞれ被割付ページ縮小画像３４１，３４２，３４３，３４４、３５１，３５２，３５３，３５４と、レイアウト変更指示フォーマット３４５，３４６，３４７，３４８、３５５，３５６，３５７，３５８と、レイアウト変更指示原稿識別情報３４９，３５９とを含む。
【００５６】
編集原稿３６０は、１ページ目３６１に新たな被割付ページ３７１，３７２，３７３，３７４，３７５が、２ページ目３６２に被割付ページ３７６が割り付けられた原稿である。
【００５７】
ここで、被割付ページ縮小画像３５１及び３５２は、図５のステップＳ２０３に係るページ分割処理にて、被割付ページ３１５から左右２分割したページデータが生成されたことを表している。しかし、被割付ページ３１５は、本来分割不要である。そこで、ページ分割補正指示フォーマット３８２において、上段左右のページを分割しないように利用者は補正指示を行っている。
【００５８】
以上のように、第１の実施形態によれば、割付原稿を元に生成する編集指示原稿に対して、利用者が所望の編集指示を記載することで煩雑な操作を行うことなく、容易に割付原稿のページ構成を編集することができる。
【００５９】
[第２の実施形態]
本実施形態における編集指示原稿は、ページ分割補正指示原稿とレイアウト変更指示原稿とを統合した単一の編集指示原稿とし、ページ分割補正指示フォーマットとレイアウト変更指示フォーマットの両フォーマットを含む。また、本実施形態に係る編集指示原稿はモノクロ原稿として出力される。
【００６０】
図８は、本実施形態に係る編集指示原稿の一例を説明する概略図である。編集指示原稿４００は、被割付ページ４０１，４０２を含む割付原稿に対して、被割付ページ毎のレイアウト変更指示フォーマット４１５，４１６、４１７，４１８、４３５，４３６，４３７，４３８と、編集指示原稿であることを表す編集指示原稿識別情報４１９，４４９と、ページ分割補正指示フォーマット４２０，４４０とを重ね合わせて生成される。なお、ページ分割補正指示フォーマットとレイアウト変更指示フォーマットとは第１の実施形態で説明したものと同一のものとする。
【００６１】
次に、本実施形態に係る編集指示と編集原稿の例について図９を用いて説明する。図９（ａ）に示す編集指示原稿５００は、前述の処理にて図６（ａ）で示した割付原稿３００から生成した編集指示原稿に対し、被割付ページ５１２，５３３に対して×印を記載することで、当該被割付ページを使用しないこと、被割付ページ５３５，５３６を左右に分割しないことの編集指示が記載された状態を表している。また、編集指示原稿５００においては、レイアウト変更指示フォーマット５１５，５１６，５１７，５１８、５３５，５３６，５３７，５３８は編集指示の記載なしである。
【００６２】
図９（ｂ）に示す編集原稿６００は、編集指示原稿５００の編集指示により、被割付ページの再配置が行われた状態を表している。ここで、図６（ａ）における被割付ページ３１５は、１ページ目６０１に空き領域が不足しているため、１ページ目６０１の右下位置に配置されないとする。同右下位置への配置や被割付ページの順序の入れ替えは、各レイアウト変更指示フォーマットにて詳細なレイアウト変更指示を行うことで可能である。
【００６３】
次に、本実施形態に係る画像処理部１０の詳細な動作について説明する。本実施形態においては、第１の実施形態の図５のフローチャートで説明したステップＳ２０６に係る動作のみが異なり他の動作については第１の実施形態で説明した動作と同一である。よって、以下の説明では異なるステップＳ２０６における動作についてのみ説明する。
【００６４】
ステップＳ２０６において、編集指示認識部１５は、編集指示内容の認識を２段階にかけて行う。まず、１段階目では、編集指示認識部１５は、ページデータの使用有無とページ分割補正指示を対象として編集指示の内容を認識する。編集指示認識部１５は、画像データから予め設定された色領域、例えば、赤色領域、を抽出し、色領域抽出データを取得する。さらに、編集指示認識部１５は、色領域抽出データからページ分割補正指示フォーマットの各ページ領域を切り出し、ページ領域に含まれる色領域が既定の形状か否かを判定することで、ページデータの使用有無を認識する。ここで、色領域の形状は、例えば、○や×のような単純な形状でよく、ページ領域の画素値を特徴量として既知の形状との距離を用いて形状の判定を行う。そして、編集指示認識部１５は、色領域抽出データからページ分割補正指示フォーマットのページ境界を切り出し、第１の実施形態と同様に塗りつぶし判定を行うことでページ分割補正指示を認識する。
【００６５】
次に、２段階目では、編集指示認識部１５は、１段階目で使用無の指示がなされなかった被割付ページについて、色領域抽出データからレイアウト変更指示フォーマットの領域を切り出し、さらにレイアウト変更指示フォーマット内の指示項目毎に分割する。これ以降、編集指示認識部１５は、色領域に対して第１の実施形態と同様の塗りつぶし判定を行うことにより、編集指示を認識する。このとき、編集指示が未記載により認識できない場合は、編集指示認識部１５は詳細な編集指示が無いと判断する。
【００６６】
以上のように、第２の実施形態によれば、割付原稿を元に生成する編集指示原稿に対して、より簡便な特定色での編集指示を可能とすることで、第１の実施形態と比べ、より容易に割付原稿のページ構成を編集することができる。
【００６７】
本実施形態の説明においては、編集後のデータを記録紙に印刷する形態について説明したが、本発明はこれに限定されず、例えば、装置から送信する電子メールに添付したり、ＰＣ（Personal 
Computer）等の他の装置に出力する形態としてもかまわない。
【符号の説明】
【００６８】
１  スキャナ
２  プリンタ
１０  画像処理部
１１  画像読取部
１２  編集指示原稿判定部
１３  画像分割部
１４  編集指示原稿生成部
１５  編集指示認識部
１６  編集原稿生成部
１７  記憶部
１８  画像形成部
１００  複合装置
【図１】
2015026952.tif 000003
【図２】
2015026952.tif 000004
【図３】
2015026952.tif 000005
【図４】
2015026952.tif 000006
【図５】
2015026952.tif 000007
【図６】
2015026952.tif 000008
【図７】
2015026952.tif 000009
【図８】
2015026952.tif 000010
【図９】
2015026952.tif 000011